(57)【要約】【課題】本発明は、組立てを必要としない、且つ、中仕切板が予め充填されている梱包箱を提供することにある。【解決手段】底フラップと天フラップおよび、四隅折曲部で接合された、各一対の長側板と短側板から成る、箱本体にさらに係止部を設け、そして箱本体の内部に、長側板サイズの長辺仕切板と、短側板サイズを複数に分割した、短辺仕切板をお互い仕切壁にして突き当てて接合し、升目格子状に組付け、格子形状折畳仕切板組立体を形成する、次に紐を係止部から通して、この前記仕切組立体の短辺仕切板のその適当なる位置に紐を貫通させて、さらに長辺仕切板の側面を貫通させて通し、これを数回繰り返して、最後に並んでいる短辺仕切板を貫通させて、紐を通し、さらに反対側の係止部に通して、固定して止め、格子形状折畳仕切板組立体が箱本体に装着される。【選択図】図１
2008265861.tif 000002
【特許請求の範囲】
【請求項１】
底フラップ（４）と天フラップ（５）および、四隅折曲部（２）で接合された、各一対の長側板（６）と短側板（７）から成る、箱本体（１）にさらに係止部（３）を設け、そして箱本体（１）の内部に、長側板サイズの長辺仕切板（８）と、短側板サイズを複数に分割した、短辺仕切板（９）をお互い仕切壁にして突き当てて接合し、升目格子状に組付け、格子形状折畳仕切板組立体（１１）を形成する、次に紐（１０）を係止部（３）から通して、この前記仕切組立体の短辺仕切板（９）のその適当なる位置に紐（１０）を貫通させて、さらに長辺仕切板（８）の側面を貫通させて通し、これを数回繰り返して、最後に並んでいる短辺仕切板（９）を貫通させて、紐（１０）を通し、さらに反対側の係止部（３）に通して、固定して止め、格子形状折畳仕切板組立体（１１）を装着したことを特徴とする、中仕切付き折畳梱包箱。
【発明の詳細な説明】
【技術分野】
【０００１】  本発明は、仕切板を備えた箱をワンタッチで、平板状態から梱包箱になる技術に関するものである。
【背景技術】
【０００２】  従来、ダンボール梱包箱やプラスチックダンボール梱包箱は、梱包箱にするのには平板の展開状態から、箱に組立てる必要があり、さらにパウチ収納箱、部品収納箱等のように、箱の内部に中仕切板を組付けながら、装着する事になる。
最近では、特開２００４−１０１６３のように、仕切板の一部だが、最初から内蔵させたものが出てきたが、やはり展開平板状態から梱包箱に組立てるものである。
【発明の開示】
【発明が解決しようとする課題】
【０００３】  ダンボール梱包箱等は、在庫したり移動したりする場合には、常に展開平板状態で扱うが、梱包現場では梱包箱に組み立てる必要があり、この労力が大変であった。
本発明は、これらの問題点を解消するためになされたものである。
【課題を解決するための手段】
【０００４】  まず、底フラップ（４）と天フラップ（５）および、箱の四隅が蝶番のごとく折曲げられるように形成した、四隅折曲部（２）とで接続構成した、各一対の長側板（６）と短側板（７）を設けた、箱本体（１）を形成する。さらに箱本体（１）の側板に紐等を固定して止められる、係止部（３）を設ける。そしてこの箱本体（１）の内部に、図２のごとく、格子形状折畳仕切板組立体（１１）を形成して、係止部（３）から紐（１０）を通して、前記組立体の短辺仕切板（９）、長辺仕切板（８）と、順次、紐（１０）を貫通させていき、最後に反対側の係止部（３）で紐を止めて、前記組立体を装着する。【０００５】  この前記組立体は、図１および図２のごとく、長側板（６）と同じサイズの、長辺仕切板（８）と、短側板（７）と同じサイズのものを分割裁断して、短辺仕切板（９）にしたものとを、格子形状に組付けて形成される。次にこの形成した前記組立体を、箱本体（１）内部に合わせて装填して設け、次に紐（１０）を係止部（３）から通して、短辺仕切板（９）の適当なる位置に、紐（１０）を、板厚側方向から貫通させて、さらに格子形状に交差させて組付けた、長辺仕切板（８）の側面を貫通させて、この紐（１０）を通し、この方法を繰返して、最後に反対の係止部（３）に通して、紐（１０）を固定して、格子形状折畳仕切板組立体（１１）を箱本体（１）に装着する。【０００６】  ここで紐（１０）を使用した事で、平板状態から梱包箱になる過程で、そして前記仕切板組立体も平板状態から、立体に組上がるが、紐（１０）がフレキシブルに実にうまく作用して、仕切板や箱の各部のズレ及び動き、変化に、各部を固定しながら逆らわないで働いてくれる。また、箱を平板状態に潰す時も同様に紐がうまく作用する。
本発明は以上のような構成よりなる、中仕切付き折畳梱包箱である。
【発明の効果】
【０００７】  図３のごとく、本発明は片手で箱を簡単に折り畳める。その為、普段は平板状態で重ね置きで保管出来る。また、梱包箱にするには平板状態から開口部を開くだけで、仕切板付きで、ワンタッチで完成する。つまり梱包箱の組立作業や展開平板状態に戻す作業の工数が完全に無くなり、高効率の梱包作業に寄与する。
【発明を実施するための最良の形態】
【０００８】  まず、梱包箱の蓋板になる、底フラップ（４）と天フラップ（５）と、蝶番のように箱の四隅が、折り曲げられるように形成した四隅折曲部（２）と、各一対の長側板（６）および短側根（７）を設け、さらに側板に紐等を固定する係止部（３）を設けた、箱本体（１）を形成構成する。そしてさらに箱本体（１）の内部に、図２のごとく格子形状折畳仕切板組立体（１１）を組立てて設ける。【０００９】  まず図１および図２に示すように、長側板（６）サイズの長辺仕切板（８）と短側板サイズのものを分割裁断した短辺仕切板（９）を、お互いに仕切壁にして突き当てて接合し、升目の格子状に組付ける。この時、長辺仕切板（８）と短辺仕切板（９）の一端も、箱本体（１）の内面側に突き当てて填め込まれる。次に紐（１０）を係止部（３）に止めて、通し治具を利用して、ここから通して、まず短辺仕切板（９）の一端から長辺仕切板（８）の側面へ貫通させ、さらに短辺仕切板（９）、長辺仕切板（８）と、次々と升目の格子壁内を貫通させて、最後に一方の係止部（３）を通して固定して、箱本体（１）の内部に、格子形状折畳仕切板組立体（１１）を装着する。
本発明は以上のような構成であり、これを使用せんとするときには、【００１０】  平板状態の箱本体（１）の天フラップ（５）あるいは底フラップ（４）の開口部分を、手で左右に引き開けるだけで箱本体（１）は、四隅折曲部（２）のヒンジ部分が動き開いて梱包箱の形になる。この時に箱内部の格子形状折畳仕切板組立体（１１）も平板状態から、升目の格子状で立体物になる。これは、短辺仕切板（９）や長辺仕切板（８）、箱本体（１）の側板とが、紐（１０）で、つながっている為で、つまり吊るし糸人形が動くのと同じ原理で、紐（１０）でフレキシブルにこれらが動くからである。このようにワンタッチで箱本体（１）を開くだけで、仕切板付きの梱包箱になるので、後はビンや部品その他製品等を箱に収めて、フラップで閉める。その後に、梱包箱を保管したい時には、片手で図３のごとく掴んで押さえるだけで、梱包箱は、簡単につぶれて、平板状態になるので、これを積み重ねて保管すれば良い。
【図面の簡単な説明】
【００１１】
【図１】  本発明の斜視図である。
【図２】  本発明の仕切板取付の説明透視図である。
【図３】  本考案の折畳み方法の説明図である。
【符号の説明】
【００１２】  １  箱本体
２  四隅折曲部
３  係止部
４  底フラップ
５  天フラップ
６  長側板
７  短側板
８  長辺仕切板
９  短辺仕切板
１０  紐
１１  格子形状折畳仕切板組立体
１２  開閉力
【図１】
2008265861.tif 000003
【図２】
2008265861.tif 000004
【図３】
2008265861.tif 000005